(57)【要約】      （修正有）【課題】食材を収容する筐体の容積を増大させた誘導加熱調理器を実現する。【解決手段】食材を収納する筐体１８と、前記筐体内で食材を支持する受け皿３０と、前記筐体の外部に配置された少なくとも１つの誘導加熱コイル２４，２２と、前記誘導加熱コイルに高周波電流を供給する駆動回路３４，３６と、高周波電流量を制御する駆動制御部３８とを備え、前記誘導加熱コイルが前記筐体または前記受け皿の少なくとも一部を誘導加熱する。【選択図】図２
2011033313.tif 000002
【特許請求の範囲】
【請求項１】
食材を加熱調理する誘導加熱調理器であって、
食材を収納する筐体と、
前記筐体内で食材を支持する受け皿と、
前記筐体の外部に配置された少なくとも１つの誘導加熱コイルと、
前記誘導加熱コイルに高周波電流を供給する駆動回路と、
高周波電流量を制御する駆動制御部とを備え、
前記誘導加熱コイルが前記筐体または前記受け皿の少なくとも一部を誘導加熱することを特徴とする誘導加熱調理器。
【請求項２】
筐体内の温度を検知する検知手段と、
誘導加熱コイルへの投入電力を検知する手段とを備え、
駆動制御部は、前記筐体内の温度および前記誘導加熱コイルへの投入電力に基づいて高周波電流量を制御することを特徴とする請求項１に記載の誘導加熱調理器。
【請求項３】
誘導加熱コイルは、筐体の外側に配置されていることを特徴とする請求項１または２に記載の誘導加熱調理器。
【請求項４】
誘導加熱コイルが筐体を直接的に誘導加熱し、筐体内部の雰囲気温度を上昇させることを特徴とする請求項１〜３のいずれか１に記載の誘導加熱調理器。
【請求項５】
筐体の少なくとも一部は磁性金属で形成されていることを特徴とする請求項１〜３のいずれか１に記載の誘導加熱調理器。
【請求項６】
筐体の複数の面を加熱する複数の誘導加熱コイルを有し、
前記各誘導加熱コイルは独立して制御可能であることを特徴とする請求項１〜３のいずれか１に記載の誘導加熱調理器。
【請求項７】
受け皿は筐体内に着脱可能な金属板であって、
誘導加熱コイルが前記金属板を直接的に誘導加熱し、前記筐体内部の雰囲気温度を上昇させることを特徴とする請求項１〜３のいずれか１に記載の誘導加熱調理器。
【請求項８】
筐体の少なくとも一部は非磁性金属で形成されていることを特徴とする請求項７に記載の誘導加熱調理器。
【請求項９】
受け皿は、食材から流出する油分を受けるものであることを特徴とする請求項１〜８のいずれか１に記載の誘導加熱調理器。
【請求項１０】
筐体内の雰囲気または食材を加熱するために、筐体内に配置された抵抗式ヒータをさらに有することを特徴とする請求項１〜９のいずれか１に記載の誘導加熱調理器。
【請求項１１】
筐体から誘導加熱コイルに伝わる熱を遮断するために、前記筐体と前記誘導加熱コイルとの間に設けられた断熱部をさらに有することを特徴とする請求項１〜３のいずれか１に記載の誘導加熱調理器。
【請求項１２】
筐体内部の温度は、誘導加熱コイルを形成する巻線の耐熱温度より高いことを特徴とする請求項１〜３のいずれか１に記載の誘導加熱調理器。
【請求項１３】
誘導加熱コイルは、平面状に捲回されて平坦な主面を有し、筐体の上面または下面に対向するように配置されることを特徴とする請求項１〜３のいずれか１に記載の誘導加熱調理器。
【請求項１４】
誘導加熱コイルは、筐体の上面、側面および下面に沿って筐体の周りに捲回されることを特徴とする請求項１〜３のいずれか１に記載の誘導加熱調理器。
【請求項１５】
誘導加熱される金属板は炭素系材料からなることを特徴とする請求項７の誘導加熱調理器。
【請求項１６】
請求項１〜１５に記載された誘導加熱調理器を採用したＩＨクッキングヒータ。
【発明の詳細な説明】
【技術分野】
【０００１】
本願発明は、誘導加熱技術を利用した誘導加熱調理器、およびオーブンまたはグリルに当該誘導加熱調理器を採用したＩＨクッキングヒータに関するものである。
【背景技術】
【０００２】
従来のオーブン機能やグリル機能を備えた調理器などにおいて、グリル庫内に投入された食材への加熱は、一般的にシーズヒータや石英管ヒータなどの抵抗式の加熱手段によって庫内の空気を加熱することにより行っている。庫内に置かれた食材は、たとえばグリル庫の底面に配置された抵抗式の加熱手段から伝導する熱と、グリル庫の上面から輻射した熱と、庫内で対流する高温の空気から伝わる熱との組み合わせにより調理が行われる。
【０００３】
一方、食材の加熱に誘導加熱技術を応用したものが、これまでにも数多く提案されている。炊飯器やＩＨクッキングヒータなどがその代表例として挙げられる。ＩＨクッキングヒータや炊飯器は、鍋や釜を誘導加熱により加熱し、容器内の食材を加熱調理するものである。
【０００４】
たとえば特許文献１によれば、誘導加熱体が配置された開閉自在のレンジ扉を有し、食材をオーブンレンジ内に収容してレンジ扉を閉じた状態でマイクロ波により調理する一方、開いたレンジ扉の上に食材を載置して電磁誘導により加熱するオーブンレンジが教示されている。
【０００５】
また、たとえば特許文献２によれば、磁性金属で構成された容器の外側に加熱コイルを巻き廻し、容器内部の液体や気体を加熱する加熱装置が提案されている。
【０００６】
さらに特許文献３では、食材を加熱するものではないが、誘導加熱応用技術を適用した別の加熱装置として陶芸炉が記載されており、金属で形成された炉を電磁誘導により加熱し、内部の雰囲気温度を上昇させることで、炉の内部の加熱対象を高温加熱する装置が教示されている。この陶芸炉は、金属で形成された炉（発熱体）の外周に巻き廻したコイルに高周波電流を供給することにより、発熱体の両端開口面を貫通し内部を通過する交番磁束により生じる誘導電流により発熱体を加熱するものである。発熱体が加熱されると、炉の内部温度が上昇し、内部の陶土が高温に加熱され、陶器を焼成する。このとき発熱体である炉の周囲には断熱材が配置され、断熱材を介して高周波電流が供給されているので、炉自身は周囲から断熱されている。
【先行技術文献】
【特許文献】
【０００７】
【特許文献１】実開昭６１-０４６３０２号公報
【特許文献２】特開平１１-３７７０号公報
【特許文献３】特開平１１-０２９３５２号公報
【発明の概要】
【発明が解決しようとする課題】
【０００８】
従来のシーズヒータや石英管ヒータなどによってグリル筐体内の温度を上昇させ、グリル筐体内に投入された食材を加熱するような調理器では、グリル筐体内にヒータ部が露出し、ヒータ設置スペースによる庫内容積、特に高さに制約が生じ、嵩高の食材が投入できないという問題があった。
この発明は、上述のような課題を解決するためになされたものであり、食材を収容する筐体の容積を増大させた調理器を得るものである。
【課題を解決するための手段】
【０００９】
本願発明に係る誘導加熱調理器は、食材を収納する筐体と、前記筐体内で食材を支持する受け皿と、前記筐体の外部に配置された少なくとも１つの誘導加熱コイルと、前記誘導加熱コイルに高周波電流を供給する駆動回路と、高周波電流量を制御する駆動制御部とを備え、前記誘導加熱コイルが前記筐体または前記受け皿の少なくとも一部を誘導加熱することを特徴とするものである。
【発明の効果】
【００１０】
本願発明によれば、食材を収容する筐体の容積を増大させた誘導加熱調理器を実現することができる。
【図面の簡単な説明】
【００１１】
【図１】本願発明に係る誘導加熱調理器（グリル加熱部）を採用したＩＨクッキングヒータを概略的に示す斜視図である。
【図２】図１のII−II線から見たときのグリル加熱部の断面と、その周辺回路構成を示す概略図である。
【図３】本願発明に係るグリル加熱部により食材が調理されていく様子を示すものであり、（ａ）で魚に焼き色がつき始め、その後（ｂ）で焼き色が進行した状態を示す。
【図４】実施の形態２に係るグリル加熱部の図２と同様の概略図である。
【図５】実施の形態３に係るグリル加熱部の図４と同様の概略図である。
【図６】実施の形態４に係るグリル加熱部の図２と同様の概略図である。
【図７】実施の形態５に係るグリル加熱部の図４と同様の概略図である。
【図８】実施の形態６に係るグリル加熱部の図４と同様の概略図である。
【図９】実施の形態７に係るグリル加熱部の図４と同様の概略図である。
【図１０】実施の形態８に係るグリル加熱部の図４と同様の概略図である。
【図１１】実施の形態９に係るグリル加熱部の概略的な斜視図である。
【図１２】実施の形態９に係るグリル加熱部の概略的な側面図である。
【発明を実施するための形態】
【００１２】
以下、添付図面を参照して本願発明に係る誘導加熱調理器の実施の形態を説明する。各実施の形態の説明において、理解を容易にするために方向を表す用語（たとえば、「上方」および「下方」など）を適宜用いるが、これは説明のためのものであって、これらの用語は本願発明を限定するものでない。
【００１３】
実施の形態１．
図１〜図３を参照しながら、本願発明に係る誘導加熱調理器の実施の形態１について以下詳細に説明する。図１は本願発明に係る誘導加熱調理器１０を採用したＩＨクッキングヒータ１の全体を概略的に図示する斜視図である。図１において、ＩＨクッキングヒータ１は、概略、筐体２、その上側表面のほぼ全体を覆うガラスなどで形成されたトッププレート３、左右に配置された一対のＩＨ加熱部４ａ，４ｂ、ラジエント加熱部５および筐体２内に配設された本願発明に係る誘導加熱調理器（以下、「グリル加熱部」という）１０を有する。（ただし、図１ではグリル加熱部の開閉式ドアのみが図示されている。）
なお、ここでは本願発明に係る誘導加熱調理器が採用されたＩＨクッキングヒータ１を図示したが、これに限定されるものではなく、本願発明の誘導加熱調理器は任意のグリルまたはオーブンに同様に適用することができる。
【００１４】
図２は、図１のII−II線から見たときの実施の形態１に係るグリル加熱部１０の断面と、その周辺回路構成を示す概略図である。実施の形態１のグリル加熱部１０は、概略、天板１２、底板１４および側板１６からなる箱状（矩形状）のグリル筐体１８と、その周りに配設された断熱部２０と、グリル筐体１８を誘導加熱するために、グリル筐体１８の下方および上方に配設された誘導加熱コイル２２，２４とを有する。実施の形態１の誘導加熱コイル２２，２４は、巻線を平面状に捲回して形成されたものである。
【００１５】
実施の形態１のグリル筐体１８は、たとえば鉄などの磁性金属からなり、断熱部２０は、たとえばガラス繊維体などの非金属で構成されるが、グリル筐体１８が誘導加熱されて高温となったときにグリル筐体１８から誘導加熱コイル２２，２４へ伝わる熱を断熱するものであれば任意の構成材料を用いて形成することができる。このように実施の形態１に係るグリル加熱部１０においては、下側および上側の誘導加熱コイル２２，２４は、断熱部２０を介してグリル筐体１８の下方および上方に配置されている。
【００１６】
また、本願発明に係るグリル加熱部１０は、その前方（図２の手前側）には食材Ｆを出し入れするための開閉可能なドア２６（図１１）が設けられ、グリル筐体１８は、図示のように、その内部においてグリル筐体１８に固定された支持部材２８と、支持部材２８に着脱可能に取り付けられる受け皿３０とを有し、任意ではあるが、受け皿３０の上方に載置される網３２をさらに有する。受け皿３０は、食材Ｆを支持するとともに、食材Ｆから流出する油分等を受けるものである。
【００１７】
さらに図示のように、このグリル加熱部１０は、下側および上側の誘導加熱コイル２２，２４のそれぞれに高周波電流を供給するように接続された駆動回路３４，３６と、各駆動回路３４，３６を独立して制御するための駆動制御部３８とを有する。駆動制御部３８は、誘導加熱コイル２２，２４の入力電流（入力電力）および出力電流（出力電力）、ならびにグリル筐体１８の内部温度などのさまざまな駆動パラメータを検知する検知回路４０を有し、検知回路４０で得られた情報に基づいて（フィードバックして）適正な駆動条件で各誘導加熱コイル２２，２４を駆動するように構成されている。すなわち駆動回路３４，３６が下側および上側の誘導加熱コイル２２，２４に供給する高周波電流は、通常、２０ｋＨｚ〜１００ｋＨｚ程度の繰り返し周波数成分を有し、駆動制御部３８は、検知回路４０で得られた結果に基づき高周波電流の周波数や電流の大きさ、通電時間などを制御する。
【００１８】
グリル加熱部１０の動作において、駆動回路３４，３６が誘導加熱コイル２２，２４に高周波電流を供給すると、誘導加熱コイル２２，２４の周囲に交番磁界が形成され、これに隣接するグリル筐体１８の底板１４および天板１２において渦電流が形成されることにより、グリル筐体１８が加熱される。このように誘導加熱によりグリル筐体１８が加熱され続けると、その内部の雰囲気（空気等）が加熱され、ひいてはグリル筐体１８の内部に配置された食材Ｆが加熱された雰囲気により加熱調理される。
【００１９】
図３（ａ），図３（ｂ）は、食材Ｆ（たとえば魚）がグリル筐体１８の内部の高温の雰囲気により調理されていく様子を示すものであり、図３（ａ）で魚に焼き色がつき始め、さらに時間が経過すると図３（ｂ）に示すように焼き色が進行する。
【００２０】
本願発明に係るグリル加熱部１０は、上記のように、誘導加熱コイル２２，２４を耐熱温度以下で使用するために、断熱部２０をグリル筐体１８の周囲に配置して、グリル筐体１８から誘導加熱コイル２２，２４へ伝わる熱を遮断するように構成されているが、これに加えて冷却ファンなど（図示せず）により、誘導加熱コイル２２，２４に送風するなどしてさらに積極的に冷却してもよい。このとき、グリル筐体１８内の雰囲気は、より高い温度で食材Ｆを加熱するために、誘導加熱コイル２２，２４を形成する巻線の耐熱温度より高いことが好ましく、積極的に誘導加熱コイル２２，２４の巻線を冷却することが好ましい。
【００２１】
下側および上側の誘導加熱コイル２２，２４は、駆動制御部３８により独立して制御可能な各駆動回路３４，３６から高周波電流を供給することができるので、グリル筐体１８の内部の下側の雰囲気温度を高くしたい場合には下側の誘導加熱コイル２２により多くの高周波電流を供給し、逆に、上側の雰囲気温度を高くしたい場合には上側の誘導加熱コイル２４により多くの高周波電流を供給することによりグリル筐体１８内の雰囲気温度を容易に調節することができる。
【００２２】
詳細図示しないが、検知回路４０がグリル筐体１８内の雰囲気温度を検知して、駆動制御部３８がその温度情報に基づいて適正にフィードバックし、電力量を精度よく制御するように構成することもできる。
【００２３】
このように、グリル筐体１８内の雰囲気温度を上昇させる手段として誘導加熱技術を用い、加熱源をグリル筐体１８そのものとし、さらに誘導加熱を行うための誘導加熱コイル２２，２４をグリル筐体１８の外部に配置することで、グリル筐体１８内のスペース、とりわけ高さ方向のスペースを十分に確保することができるので、嵩の高い食材Ｆを調理することができる。また、下側および上側の誘導加熱コイル２２，２４を個別に制御できるようにしたので、片面焼きや両面焼きなど、食材Ｆや調理方法に応じてグリル筐体１８内の温度を自在に調整することができる。
また、グリル筐体１８内においてシーズヒータなどの突起物を排除したので、清掃性を格段に向上させることができる。
【００２４】
実施の形態２．
図４を参照しながら、本願発明に係る誘導加熱調理器の実施の形態２について以下詳細に説明する。実施の形態１のグリル加熱部１０においては、誘導加熱コイル２２，２４がグリル筐体１８の下側および上側の両方にそれぞれ配設されていたのに対し、実施の形態２に係るグリル加熱部１０においては、誘導加熱コイルがグリル筐体１８の下側および上側のいずれか一方にのみ配設されている点を除き、実施の形態１のグリル加熱部１０と同様の構成を有するので、重複する内容については説明を省略する。なお図中、同様の構成部品については同一の符号を用いて参照する。
【００２５】
図４（ａ）に示すグリル加熱部１０の誘導加熱コイル２２は、上述のように、断熱部２０を介してグリル筐体１８の下方にのみ配置されている。すなわち、このグリル加熱部１０において、磁性金属からなる箱状（矩形）のグリル筐体１８は断熱部２０により包囲され、グリル筐体１８の下方に配置された誘導加熱コイル２２は、駆動回路３４により高周波電流が供給される。
なお、図４（ａ）には示していないが、図２と同様、駆動回路３４は検知回路４０を含む駆動制御部３８により制御されており、誘導加熱コイル２２に供給する高周波電流を調節することができる。
【００２６】
グリル加熱部１０の動作において、グリル筐体１８は、下方に配置された誘導加熱コイル２２に高周波電流が供給されると、これに隣接するグリル筐体１８の底板１４に渦電流が形成されることにより加熱される。こうしてグリル筐体１８の底板１４が加熱され続けると、その内部の雰囲気（空気等）が加熱され、グリル筐体１８内の食材Ｆが加熱された雰囲気により加熱調理される。このとき誘導加熱コイル２２に供給される高周波電流を駆動制御部３８により制御することにより、グリル筐体１８内の雰囲気温度を適正に調節することができる。また、実施の形態２のグリル加熱部１０は、実施の形態１と同様、検知回路４０による検知結果に基づき、グリル筐体１８内の雰囲気温度制御や電力制御を精度よく行うことができる。さらに実施の形態２に係るグリル加熱部１０は、実施の形態１と同様、下側の誘導加熱コイル２２が断熱部２０を介してグリル筐体１８の下方に配置されているので、グリル筐体１８から誘導加熱コイル２２への伝熱を遮断することができる。
【００２７】
このように、グリル筐体１８内の雰囲気温度を上昇させる手段として誘導加熱技術を用い、加熱源をグリル筐体１８そのものとし、さらに誘導加熱を行うための誘導加熱コイル２２をグリル筐体１８の外部に配置することで、グリル筐体１８内のスペース、とりわけ高さ方向のスペースを十分に確保することができるので、嵩の高い食材Ｆの調理が可能となる。
また、実施の形態２によれば、誘導加熱コイル２２をグリル筐体１８の下方にのみ配置し、誘導加熱コイルおよび駆動回路の部品点数を削減したので、実施の形態１に比して生産コストを抑制することができる。
【００２８】
なお、実施の形態２では、誘導加熱コイル２２がグリル筐体１８の下方にのみ配置されたものを示したが、図４（ｂ）に示すように、誘導加熱コイル２４をグリル筐体１８の上方にのみ配置してもよく、同様の効果を実現することができる。
【００２９】
実施の形態３．
図５を参照しながら、本願発明に係る誘導加熱調理器の実施の形態３について以下詳細に説明する。実施の形態２のグリル加熱部１０が誘導加熱コイル２２を有し、その他の加熱手段を有さないのに対し、実施の形態３に係るグリル加熱部１０は、概略、抵抗式ヒータ４２をグリル筐体１８内に別途設けた点を除き、実施の形態２のグリル加熱部１０と同様の構成を有するので、重複する内容については説明を省略する。なお図中、同様の構成部品については同一の符号を用いて参照する。
【００３０】
図５（ａ）に示すグリル加熱部１０は、断熱部２０を介してグリル筐体１８の下方に設けられた誘導加熱コイル２２と、上述のように、グリル筐体１８の内部であって、その天板１２に隣接して配設された抵抗式ヒータ４２とを有する。抵抗式ヒータ４２は、たとえば電流量や通電時間などに応じて発熱量が変化する発熱体であって、シーズヒータやセラミックヒータなどの任意の抵抗式のヒータであってもよい。
なお、図５（ａ）には示していないが、図２と同様、駆動回路３４は検知回路４０を含む駆動制御部３８により制御されており、誘導加熱コイル２２に供給する高周波電流を調節することができる。同様に、図示しないが、グリル加熱部１０は抵抗式ヒータ４２の発熱量を制御するための電力調節部を備えている。
【００３１】
グリル加熱部１０の動作において、グリル筐体１８は、実施の形態２と同様、下方に配置された誘導加熱コイル２２に高周波電流が供給されると、これに隣接するグリル筐体１８の底板１４に渦電流が形成されることにより加熱され、継続的に加熱されると、底板１４が発する熱によりグリル筐体１８内の雰囲気（空気等）が加熱され、グリル筐体１８内の食材Ｆが加熱された雰囲気により加熱調理される。
【００３２】
さらに実施の形態３によれば、誘導加熱コイル２２による誘導加熱に加えて、グリル筐体１８の天板１２近くに設けた抵抗式ヒータ４２の通電加熱による輻射熱により、網３２に載置された食材Ｆを直接的に加熱することができる。
【００３３】
このように構成したことで、グリル筐体１８の誘導加熱により高温に熱せられた雰囲気で食材Ｆの調理を行うと同時に、抵抗式ヒータ４２による輻射熱で食材Ｆ表面を高温で焼くことができ、実施の形態２に比してより幅広い調理手法を実現することができる。たとえば抵抗式ヒータ４２が遠赤外線を発生するものであれば、食材Ｆの内部から均一に温める効果、いわゆる遠赤効果を得ることができる。
【００３４】
なお、実施の形態３のグリル加熱部１０は、グリル筐体１８の下方に設けられた誘導加熱コイル２２と、グリル筐体１８の天板１２に隣接して設けた抵抗式ヒータ４２とを有するものとして説明したが、図５（ｂ）に示すように、断熱部２０を介してグリル筐体１８の上方に設けられた誘導加熱コイル２４と、グリル筐体１８内の受け皿３０と網３２の間に配設した抵抗式ヒータ４４とを有するものであってもよい。すなわち図５（ｂ）に示すグリル加熱部１０によれば、網３２に載置された食材Ｆは、誘導加熱により高温に熱せられた雰囲気で加熱されると同時に、網３２の下方に配置された抵抗式ヒータ４４による輻射熱で食材Ｆを加熱することにより、実施の形態３と同様の効果を実現することができる。
【００３５】
実施の形態４．
図６を参照しながら、本願発明に係る誘導加熱調理器の実施の形態４について以下詳細に説明する。実施の形態４のグリル加熱部１０は、概略、グリル筐体１８の内部の上方隅に一対の抵抗式ヒータ４６，４８を追加した点を除き、実施の形態１と同様の構成を有するので、重複する内容については説明を省略する。なお図中、同様の構成部品については同一の符号を用いて参照する。
【００３６】
図６に示すグリル加熱部１０は、断熱部２０を介してグリル筐体１８の下方および上方に設けられた誘導加熱コイル２２，２４と、上述のように、グリル筐体１８の天板１２および側板１６に隣接して（すなわちグリル筐体１８内の隅部または角部に隣接して）配設された一対の抵抗式ヒータ４６，４８とを有する。抵抗式ヒータ４６，４８は、たとえば電流量や通電時間などに応じて発熱量が変化する発熱体であって、シーズヒータやセラミックヒータなどの任意の抵抗式のヒータであってもよい。
なお、駆動回路３４，３６は検知回路４０を含む駆動制御部３８により制御されており、誘導加熱コイル２２，２４に供給する高周波電流を調節することができる。同様に、グリル加熱部１０は抵抗式ヒータ４６，４８の発熱量を制御するための電力調節部を備えている（図示せず）。
【００３７】
グリル加熱部１０の動作において、グリル筐体１８は、実施の形態１と同様、下方および上方に配置された誘導加熱コイル２２，２４に高周波電流が供給されると、これに隣接するグリル筐体１８の底板１４および天板１２に渦電流が形成されることにより加熱される。こうしてグリル筐体１８の底板１４および天板１２が加熱され続けると、その内部の雰囲気（空気等）が加熱され、グリル筐体１８内の食材Ｆが加熱された雰囲気により加熱調理される。
【００３８】
実施の形態４によれば、誘導加熱コイル２２，２４による誘導加熱に加えて、グリル筐体１８の天板１２近くに設けた抵抗式ヒータ４６，４８の通電加熱による輻射熱により、網３２に載置された食材Ｆを直接的に加熱することができる。
また、抵抗式ヒータ４６，４８をグリル筐体１８の上方隅に配置したので、グリル筐体１８の中央部における高さ寸法を増大させることができるので、より嵩の高い食材Ｆを載置し調理することができる。
【００３９】
なお、実施の形態４に係るグリル加熱部１０は、誘導加熱コイル２２，２４がグリル筐体１８の下方および上方の両方に配置されるもの（図６）として説明したが、実施の形態２で示したように誘導加熱コイルがグリル筐体１８の下方および上方のいずれか一方に配置されるものであってもよい。
【００４０】
実施の形態５．
図７を参照しながら、本願発明に係る誘導加熱調理器の実施の形態５について以下詳細に説明する。実施の形態５のグリル加熱部１０は、概略、グリル筐体１８の内部の上方隅に設けた一対の第１の抵抗式ヒータ４６，４８と、受け皿３０と網３２の間に配設した第２の抵抗式ヒータ５０とを追加した点を除き、実施の形態２のグリル加熱部１０と同様の構成を有するので、重複する内容については説明を省略する。なお図中、同様の構成部品については同一の符号を用いて参照する。
【００４１】
図７に示すグリル加熱部１０は、断熱部２０を介してグリル筐体１８の上方（または下方）に設けられた誘導加熱コイル２４と、グリル筐体１８の上方隅に配設された一対の第１の抵抗式ヒータ４６，４８と、受け皿３０と網３２の間に配設した第２の抵抗式ヒータ５０とを有する。第１および第２の抵抗式ヒータ４６，４８，５０は、たとえば電流量や通電時間などに応じて発熱量が変化する発熱体であって、シーズヒータやセラミックヒータなどの任意の抵抗式のヒータであってもよい。
なお、図７には示していないが、図２と同様、駆動回路３６は検知回路４０を含む駆動制御部３８により制御されており、誘導加熱コイル２４に供給する高周波電流を調節することができる。同様に、図示しないが、グリル加熱部１０は第１および第２の抵抗式ヒータ４６，４８，５０の発熱量を制御するための電力調節部を備えている。
【００４２】
このグリル加熱部１０の動作において、グリル筐体１８の上方隅に配設された一対の第１の抵抗式ヒータ４６，４８と、受け皿３０と網３２の間に配設した第２の抵抗式ヒータ５０とにより、グリル筐体１８内に載置された食材Ｆを直接的に加熱することができる。一方、実施の形態５に係るグリル加熱部１０は、グリル筐体１８を誘導加熱しグリル筐体１８内の余熱を行うものである。グリル筐体１８を誘導加熱することで、金属で構成されたグリル筐体１８の天板１２から全体（側板１６および底板１４を含む）が加熱され、グリル筐体１８内の雰囲気温度を全体的に上昇させることができる。また誘導加熱コイル２４は、従来式の抵抗式ヒータによる局所加熱に比較して、グリル筐体１８内の雰囲気温度を均一かつ全体的に上げることができるため、むらのない余熱を実現することができる。
【００４３】
さらに、実施の形態５のグリル加熱部１０によれば、駆動回路３６により誘導加熱コイル２４に供給される高周波電流量を制御することで、グリル筐体１８内の温度上昇速度を容易に制御することができる。すなわち、より多く高周波電流量を供給すると、誘導加熱コイル２４の加熱による温度上昇が大きくなり、グリル筐体１８内の温度がより迅速に上昇する。逆に、より少ない高周波電流量を供給すると、誘導加熱コイル２４の加熱による温度上昇がより緩やかとなる。このように高周波電流量を制御することによって余熱時間を容易に制御することができる。
【００４４】
また、第１の抵抗式ヒータ４６，４８をグリル筐体１８の上方隅に配置したので、グリル筐体１８の中央部における高さ寸法を増大させることができるので、より嵩の高い食材Ｆを載置し調理することができる。
【００４５】
なお、実施の形態５に係るグリル加熱部１０は、誘導加熱コイル２４がグリル筐体１８の上方に配置されるもの（図７）として説明したが、実施の形態２で示したように誘導加熱コイル２２がグリル筐体１８の下方に配置されるもの、あるいは実施の形態１で示したようにグリル筐体１８の下方および上方の両方に配置されるものであってもよい。
【００４６】
実施の形態６．
図８を参照しながら、本願発明に係る誘導加熱調理器の実施の形態６について以下詳細に説明する。実施の形態６のグリル加熱部１０は、概略、グリル筐体１８が誘導加熱に適した金属材料からなる底板１４、非磁性の金属からなる側板１６および天板１２から構成される点を除き、実施の形態２のグリル加熱部１０と同様の構成を有するので、重複する内容については説明を省略する。なお図中、同様の構成部品については同一の符号を用いて参照する。
【００４７】
上述のように、実施の形態６のグリル筐体１８は、鉄などの誘導加熱に適した金属材料からなる底板１４と、アルミニウムなどの非磁性の金属からなる側板１６および天板１２から構成される。また図７（ａ）に示すグリル加熱部１０は、断熱部２０を介してグリル筐体１８の下方に設けられた誘導加熱コイル２２を有する。すなわち、実施の形態６のグリル加熱部１０は、グリル筐体１８の底板１４のみを誘導加熱する。このときの底板１４は誘導加熱に最適な厚みを有するものであって、さらに熱伝導を良好にする厚みを有するものであってもよい。
【００４８】
グリル加熱部１０の動作において、グリル筐体１８の底板１４は、下方に配置された誘導加熱コイル２２に高周波電流が供給されると、渦電流が形成されることにより加熱される。こうしてグリル筐体１８の底板１４が加熱され続けると、その内部の雰囲気（空気等）が加熱され、グリル筐体１８内の食材Ｆが加熱された雰囲気により加熱調理される。このとき誘導加熱コイル２２に供給される高周波電流を制御することにより、グリル筐体１８内の雰囲気温度を適正に調節することができる。また、実施の形態６のグリル加熱部１０は、実施の形態１と同様、検知回路４０による検知結果に基づき、グリル筐体１８内の雰囲気温度制御や電力制御を精度よく行うことができる。
【００４９】
択一的には、耐熱性を有する非金属を用いて、グリル筐体１８の側板１６および天板１２を構成し、グリル筐体１８の側板１６および天板１２と、その周囲の断熱部２０とを一体に構成して、グリル筐体１８の底板１４と誘導加熱コイル２２との間にのみ断熱部２０を設けるようにしてもよい。さらに炭素を含む耐熱性材料を用いてグリル筐体１８の側板１６および天板１２を構成すれば（ともに図示せず）、いわゆる遠赤外効果を得ることも期待できる。
【００５０】
また図８（ｂ）に示すように、実施の形態６のグリル加熱部１０は、実施の形態３と同様、断熱部２０を介してグリル筐体１８の下方に設けられた誘導加熱コイル２２に加えて、グリル筐体１８の内部の天板１２に隣接して配設された抵抗式ヒータ４２を有するものであってもよい。こうして、抵抗式ヒータ４２による輻射熱（赤外線）で食材Ｆ表面を高温で焼く（焼き色をつける）ことができ、より幅広い調理手法を実現することができる。抵抗式ヒータ４２がたとえば遠赤外線を発生するものであれば、食材Ｆの内部から均一に温める効果、いわゆる遠赤効果を得ることができる。
【００５１】
さらに図８（ｃ）に示すように、このグリル加熱部１０は、実施の形態４と同様、グリル筐体１８の上方隅に配設された抵抗式ヒータ４６，４８を有していてもよく、グリル筐体１８の中央部における高さ寸法を大きくすることにより、より嵩の高い食材Ｆを載置し調理することができる。
【００５２】
実施の形態７．
図９を参照しながら、本願発明に係る誘導加熱調理器の実施の形態７について以下詳細に説明する。実施の形態７のグリル加熱部１０は、概略、グリル筐体１８が非金属材料からなる底板１４と、非磁性の金属材料からなる側板１６および天板１２とから構成され、グリル筐体１８内の受け皿３０が誘導加熱に適した金属材料で構成される点を除き、実施の形態６のグリル加熱部１０と同様の構成を有するので、重複する内容については説明を省略する。なお図中、同様の構成部品については同一の符号を用いて参照する。
【００５３】
図９（ａ）に示す実施の形態７のグリル筐体１８は、非金属材料からなる底板１４、非磁性の金属材料からなる側板１６および天板１２から構成され、グリル加熱部１０は、断熱部２０を介してグリル筐体１８の下方に設けられた誘導加熱コイル２２を有する。そして実施の形態７のグリル筐体１８内には、誘導加熱に適した鉄などの金属材料で構成された受け皿３０が着脱可能に配置される。すなわち実施の形態７の誘導加熱コイル２２は、グリル筐体１８内の受け皿３０を直接的に誘導加熱し、受け皿３０（または網３２）の上方に載置された食材Ｆを加熱するものである。
【００５４】
グリル加熱部１０の動作において、グリル筐体１８は、下方に配置された誘導加熱コイル２２に高周波電流が供給されると、グリル筐体１８内の受け皿３０に渦電流が形成されることにより加熱される。こうしてグリル筐体１８内の受け皿３０が加熱され続けると、その内部の雰囲気（空気等）が加熱され、グリル筐体１８内の食材Ｆが加熱された雰囲気により加熱調理される。また、食材Ｆが受け皿３０に直接載置されている場合は、例えばフライパン調理のように直接加熱調理される。このとき誘導加熱コイル２２に供給される高周波電流を制御することにより、グリル筐体１８内の雰囲気温度を適正に調節することができる。また、実施の形態７のグリル加熱部１０は、実施の形態１と同様、検知回路４０による検知結果に基づき、グリル筐体１８内の雰囲気温度制御や電力制御を精度よく行うことができる。
【００５５】
このように、グリル筐体１８内の雰囲気温度を上昇させる手段として誘導加熱技術を用い、加熱源を受け皿３０とし、さらに誘導加熱を行うための誘導加熱コイル２２をグリル筐体１８の外部に配置することで、グリル筐体１８の内部のスペース、とりわけ高さ方向のスペースを十分に確保することができるので、嵩の高い食材Ｆの調理が可能となる。
また、受け皿３０をグリル筐体１８から着脱可能としたので、グリル筐体１８の内部の清掃性が向上するという効果を期待することができる。
【００５６】
また図９（ｂ）に示すように、実施の形態７のグリル加熱部１０は、実施の形態３と同様、断熱部２０を介してグリル筐体１８の下方に設けられた誘導加熱コイル２２に加えて、グリル筐体１８の内部の天板１２に隣接して配設された抵抗式ヒータ４２を有するものであってもよい。こうして、抵抗式ヒータ４２による輻射熱（赤外線）で食材Ｆ表面を高温で焼く（焼き色をつける）ことができ、より幅広い調理手法を実現することができる。抵抗式ヒータ４２がたとえば遠赤外線を発生するものであれば、食材Ｆの内部から均一に温める効果、いわゆる遠赤効果を得ることができる。
【００５７】
さらに図９（ｃ）に示すように、このグリル加熱部１０は、実施の形態４と同様、グリル筐体１８の上方隅に配設された抵抗式ヒータ４６，４８を有していてもよく、グリル筐体１８の中央部における高さ寸法を大きくすることにより、より嵩の高い食材Ｆを載置し調理することができる。
【００５８】
実施の形態８
図１０を参照しながら、本願発明に係る誘導加熱調理器の実施の形態８について以下詳細に説明する。実施の形態８のグリル加熱部１０は、誘導加熱コイル７２がグリル筐体１８内である底板１４と受け皿３０との間に設けられている点を除き、実施の形態７のグリル加熱部１０と同様の構成を有するので、重複する内容については説明を省略する。なお図中、同様の構成部品については同一の符号を用いて参照する。
【００５９】
図１０に示す実施の形態８のグリル筐体１８は、非金属材料からなる底板１４、非磁性の金属材料からなる側板１６および天板１２から構成され、グリル筐体１８内には、誘導加熱に適した鉄などの金属材料で構成された受け皿３０が着脱可能に配置される。そして、実施の形態８のグリル加熱部１０は、底板１４と受け皿３０との間に設けられた誘導加熱コイル７２を有する。誘導加熱コイル７２は、グリル筐体１８内の受け皿３０を直接的に誘導加熱し、受け皿３０（または網３２）の上方に載置された食材Ｆを加熱するものである。
【００６０】
グリル加熱部１０の動作において、グリル筐体１８は、誘導加熱コイル７２に高周波電流が供給されると、グリル筐体１８内の受け皿３０に渦電流が形成されることにより加熱される。こうしてグリル筐体１８内の受け皿３０が加熱され続けると、その内部の雰囲気（空気等）が加熱され、グリル筐体１８内の食材Ｆが加熱された雰囲気により加熱調理される。また、食材Ｆが受け皿３０に直接載置されている場合は、例えばフライパン調理のように直接加熱調理される。このとき誘導加熱コイル７２に供給される高周波電流を制御することにより、受け皿３０の温度を適正に調節することができる。また、実施の形態８のグリル加熱部１０は、実施の形態１と同様、検知回路４０による検知結果に基づき、受け皿３０の温度制御や電力制御を精度よく行うことができる。
【００６１】
このように、グリル筐体１８内の雰囲気温度を上昇させる手段として誘導加熱技術を用い、加熱源を受け皿３０とし、さらに誘導加熱を行うための誘導加熱コイル７２を受け皿３０に近づけることで、効率的に受け皿３０を加熱することができる。また、平面状に捲回された加熱コイル自体の厚さは数ｍｍ程度と薄いので、グリル筐体１８の内部のスペース、とりわけ高さ方向のスペースを十分に確保することができるので、嵩の高い食材Ｆの調理が可能となる。
【００６２】
実施の形態９．
図１１および図１２を参照しながら、本願発明に係る誘導加熱調理器の実施の形態９について以下詳細に説明する。これまで説明したグリル加熱部１０が平面状に捲回された誘導加熱コイル２２，２４を採用するものであったのに対し、実施の形態９のグリル加熱部１０は、概略、断熱部２０を介して箱状のグリル筐体１８の全体周囲に捲回された誘導加熱コイル５２を採用する点を除き、上記実施の形態のグリル加熱部１０と同様の構成を有するので、重複する内容については説明を省略する。なお図中、同様の構成部品については同一の符号を用いて参照する。
【００６３】
すなわち、実施の形態９のグリル加熱部１０は、誘導加熱に適した材料で構成された箱状（矩形）のグリル筐体１８と、その周囲に配設された断熱部２０と、断熱部２０を介して全体に巻線が連続的に捲き回された誘導加熱コイル５２とを有する。したがって、図１１において、誘導加熱コイル５２が駆動回路３４により高周波電流が供給されると、グリル筐体１８全体が誘導加熱され発熱する。このように構成することで、グリル筐体１８全体を大きく設計することが可能となり、グリル筐体１８内の容積を充分に確保することができる。またグリル筐体１８全体を加熱するため、すなわち天板１２および底板１４のみならず、側板１６をも加熱するため、グリル筐体１８内の雰囲気温度をより均一にすることができる。
【００６４】
さらに、グリル筐体１８の外周に捲き回した誘導加熱コイル５２の巻線の間隔の広狭を調整することにより、グリル筐体１８の領域に応じて温度上昇に勾配をつけることができる。たとえば、図１２に示すように、グリル筐体１８のドア２６付近の前方領域Ａにおいては、食材Ｆを出し入れする際、あるいは調理中に食材Ｆの加熱状態を確認するためにドアを開閉する際に外気に触れて放熱し、グリル筐体１８の後方領域Ｂに比して低くなる傾向がある。そこで、図１２に示すグリル筐体１８の領域Ａにおける誘導加熱コイル５２の巻線の間隔が、グリル筐体１８の領域Ｂにおける誘導加熱コイル５２の巻線の間隔よりも密となるように設計され、領域Ａに比較して、磁束の発生量をより増加させることで、グリル筐体１８のドア２６付近の前方領域において、より多くの熱を発生させ、ドア２６の開閉に伴うグリル筐体１８の内部の不均一な温度上昇を改善することができる。
【００６５】
択一的には、詳細図示しないが、同様の巻線間隔を有する独立した２つの誘導加熱コイルをグリル筐体１８の領域Ａおよび領域Ｂにおいて捲回し、異なる駆動回路を用いて駆動し、グリル筐体１８の領域Ａにおける温度上昇が領域Ｂよりも大きくなるように各誘導加熱コイルを駆動してもよい。さらに駆動制御部３８は、ドア２６の開閉を検出する手段を有し、ドア２６の開閉に応じて、グリル筐体１８の領域Ａにおける温度上昇が領域Ｂよりも大きくなるように各誘導加熱コイルのための駆動回路を制御するようにしてもよい。
【符号の説明】
【００６６】
１：ＩＨクッキングヒータ、２：筐体、３：トッププレート、４：ＩＨ加熱部、５：ラジエント加熱部、１０：誘導加熱調理器（グリル加熱部）、１２：天板、１４：底板、１６：側板、１８：グリル筐体、２０：断熱部、２２，２４：誘導加熱コイル、２６：開閉可能なドア、２８：支持部材、３０：受け皿、３２：網、３４，３６：駆動回路、３８：駆動制御部、４０：検知回路、４２〜５０：抵抗式ヒータ、５２，７２：誘導加熱コイル、Ｆ：食材。
【図１】
2011033313.tif 000003
【図２】
2011033313.tif 000004
【図３】
2011033313.tif 000005
【図４】
2011033313.tif 000006
【図５】
2011033313.tif 000007
【図６】
2011033313.tif 000008
【図７】
2011033313.tif 000009
【図８】
2011033313.tif 000010
【図９】
2011033313.tif 000011
【図１０】
2011033313.tif 000012
【図１１】
2011033313.tif 000013
【図１２】
2011033313.tif 000014